(57)【要約】【課題】いわゆる汎用性あるスリット付き側溝用ブロックを提供することを目的とするものである。【解決手段】スリットは前記上面部の幅方向中央位置に設けられ、かつ幅方向両端部から前記スリットに向かって前記上端部は各々下り勾配の傾斜面として構成され、該スリット付き側溝用ブロックの長手方向両端面と幅方向一側面上部位置との隅角部近傍位置には、前記幅方向一側面上部位置から隅角部を切り欠いて長手方向両端面に向かい前記中空路に連通する切り欠き溝が各々設けられたことを特徴とする。【選択図】              図３
2004204540.tif 000002
【特許請求の範囲】
【請求項１】
略立方体柱状をなし、軸心方向には長手方向に貫通した中空路が設けられ、該中空路と外部とを連通するスリットが上面部に軸心方向へ向かって直線状に設けられたスリット付き側溝用ブロックであって、
前記スリットは前記上面部の幅方向中央位置に設けられ、かつ幅方向両端部から前記スリットに向かって前記上端部は各々下り勾配の傾斜面として構成され、
該スリット付き側溝用ブロックの長手方向両端面と幅方向一側面上部位置との隅角部近傍位置には、前記幅方向一側面上部位置から隅角部を切り欠いて長手方向両端面に向かい前記中空路に連通する切り欠き溝が各々設けられ、
前記スリット付き側溝用ブロックを突き合わせ、接続した長手方向に向かって下り勾配あるいは下り勾配を有して敷設した際に、上り勾配側から下り勾配側に向けて浸透水導入管路を配置し、該浸透水導入管路の出口部分は前記切り欠き溝内に収納すると共に、前記中空路内に連通可能としたことを特徴とするスリット付き側溝用ブロック。
【請求項２】
略立方体柱状をなし、軸心方向には長手方向に貫通した中空路が設けられ、該中空路と外部とを連通するスリットが上面部に軸心方向へ向かって直線状に設けられたスリット付き側溝用ブロックであって、
前記スリットは前記上面部の幅方向中央位置に設けられ、かつ幅方向両端部から前記スリットに向かって前記上端部は各々下り勾配の傾斜面として構成され、スリットの長さ方向両端側には前記スリットを塞いで連結する間隔保持部材兼導入溝条が各々設けられ、
該スリット付き側溝用ブロックの長手方向両端面と幅方向一側面上部位置との隅角部近傍位置には、前記幅方向一側面上部位置から隅角部を切り欠いて長手方向両端面に向かい前記中空路に連通する切り欠き溝が各々設けられ、
前記スリット付き側溝用ブロックを突き合わせ、接続した長手方向に向かって下り勾配あるいは下り勾配を有して敷設した際に、上り勾配側から下り勾配側に向けて浸透水導入管路を配置し、該浸透水導入管路の出口部分は前記切り欠き溝内に収納すると共に、前記中空路内に連通可能としたことを特徴とするスリット付き側溝用ブロック。
【発明の詳細な説明】
【０００１】
【発明の属する技術分野】
本発明は、例えば、舗装された道路の両脇に敷設されて側溝を形成するスリット付き側溝用ブロックに関するものである。
【従来の技術】
従来、スリット付き側溝用ブロックは、その上面側の外部と側溝用ブロック内部の水路等の機能をはたす中空路とは上面に形成されたスリットにより連通されている。
【０００２】
上面にスリットが設けられた側溝用ブロックは、近年急激に需要が増えており、例えば舗装された車道の両脇に当該スリット付き側溝用ブロックを用いた側溝が形成され、敷設されていることが多々見受けられる。
【０００３】
そして、降雨時においては、車道に流れ込んだ大量の雨水等が当該側溝に設けられたスリットから内部の中空路に流れ込み、その後連通された排水溝に排水される。
【発明が解決しようとする課題】
しかしながら、前記従来のスリット付き側溝用ブロックでは、スリットを挟んで対向する側溝用ブロック上壁端部同士が衝突することによるスリットの欠け防止をはかること及びスリットの内側方向に荷重がかかることにより底壁側にひびあるいは亀裂が入るのを防止するため、全体に側溝を厚肉として構成してあり、そのため製造コストが高くなってしまうとの懸念があり、さらには重量が重いために運搬や敷設作業が困難となっていた。
【０００４】
そこで、従来のスリット付き側溝用ブロックにおいては、前記スリット内に合成ゴムあるいは合成樹脂からなるくさび状の間隔保持具を嵌着し、スリットを挟んで対向する側溝用ブロック上壁端部同士が衝突することによるスリットの欠け防止をはかること及びスリットの内側方向に荷重がかかることにより底壁側にひびあるいは亀裂が入るのを防止し、もって側溝用ブロックの側壁等の厚みを薄肉にすることが提案されていた。
【０００５】
しかしながら、合成ゴムあるいは合成樹脂からなる間隔保持具はコンクリート上壁の内側にかかる押圧力によりかみ切られた状態となってしまい、これによりスリット方向に向かって側溝用ブロックの両側壁に圧力がかかり、ひいては底壁あるいは両側壁下端にひびあるいは亀裂が入ってしまうことがあった。
【０００６】
そこで、本発明者らはすでに特願２００１−２３７５３６号を出願し、課題の解決を図っている。
【０００７】
ところで、近年の前記側溝用ブロックを用いた車道等道路敷設に際しては、車道の表面側から数十センチまでの深さの第１層を排水性の優れた材質のアスファルト材料で舗装し、例えば車道に大量に降水したときなど、この第１層にも浸透させ、浸透した雨水をいわゆる集水パイプなどで集水して前記スリット付き側溝用ブロックの中空路に排水するシステムが採用されている。
【０００８】
しかし、このような構造の道路敷設においても、当該スリット付き側溝用ブロックを突き合わせて接続し、長手方向へ向かって上り勾配あるいは下り勾配を有しての道路敷設の場合には、前記第１層に浸透した雨水のほとんどが下り勾配側に流れてしまうとの課題があった。
【０００９】
かくして、本発明は前記従来の課題に対処すべく創案されたものであり、前記スリット付き側溝用ブロックを突き合わせて接続し、長手方向へ向かって上り勾配あるいは下り勾配を有しての道路敷設の場合においても、前記第１層に浸透した雨水のほとんどが下り勾配側に流れてしまわない様、前記第１層内に上り勾配側から下り勾配側に向けて浸透水導入の管路を配置し、該浸透水導入管路の出口部分は前記切り欠き溝内に収納させて、スムーズな浸透水の排水が達成でき、しかも一種類のスリット付き側溝用ブロックで、例えば右側から左側へ上り勾配状の道路とした場合あるいは逆に左側から右側へ向けて上り勾配状の道路とした場合のいずれにも使用できるいわゆる汎用性あるスリット付き側溝用ブロックを提供することを目的とするものである。
【課題を解決するための手段】
本発明によるスリット付き側溝用ブロックは、
略立方体柱状をなし、軸心方向には長手方向に貫通した中空路が設けられ、該中空路と外部とを連通するスリットが上面部に軸心方向へ向かって直線状に設けられたスリット付き側溝用ブロックであって、
前記スリットは前記上面部の幅方向中央位置に設けられ、かつ幅方向両端部から前記スリットに向かって前記上端部は各々下り勾配の傾斜面として構成され、
該スリット付き側溝用ブロックの長手方向両端面と幅方向一側面上部位置との隅角部近傍位置には、前記幅方向一側面上部位置から隅角部を切り欠いて長手方向両端面に向かい前記中空路に連通する切り欠き溝が各々設けられ、
前記スリット付き側溝用ブロックを突き合わせ、接続した長手方向に向かって下り勾配あるいは下り勾配を有して敷設した際に、上り勾配側から下り勾配側に向けて浸透水導入管路を配置し、該浸透水導入管路の出口部分は前記切り欠き溝内に収納すると共に、前記中空路内に連通可能としたことを特徴とし、
または、
略立方体柱状をなし、軸心方向には長手方向に貫通した中空路が設けられ、該中空路と外部とを連通するスリットが上面部に軸心方向へ向かって直線状に設けられたスリット付き側溝用ブロックであって、
前記スリットは前記上面部の幅方向中央位置に設けられ、かつ幅方向両端部から前記スリットに向かって前記上端部は各々下り勾配の傾斜面として構成され、
スリットの長さ方向両端側には前記スリットを塞いで連結する間隔保持部材兼導入溝条が各々設けられ、
該スリット付き側溝用ブロックの長手方向両端面と幅方向一側面上部位置との隅角部近傍位置には、前記幅方向一側面上部位置から隅角部を切り欠いて長手方向両端面に向かい前記中空路に連通する切り欠き溝が各々設けられ、
前記スリット付き側溝用ブロックを突き合わせ、接続した長手方向に向かって下り勾配あるいは下り勾配を有して敷設した際に、上り勾配側から下り勾配側に向けて浸透水導入管路を配置し、該浸透水導入管路の出口部分は前記切り欠き溝内に収納すると共に、前記中空路内に連通可能としたことを特徴とするものである。
【発明の実施の形態】
以下、図に基づいて本発明に係るスリット付き側溝用ブロックの一実施の態様について説明する。
【００１０】
本発明による側溝用ブロック１はその上面部にスリット３が設けられた側溝用ブロック１であり、該スリット付き側溝１は、略立方体の角柱状をなして形成されている。
【００１１】
そして、その軸心方向には例えば縦長楕円状の中空路２が設けられている。さらに、この中空路２と外部とを連通させるスリット３が上面部、すなわち上壁１１において軸心方向へ向かって直線状に延出して設けられていると共に、スリット３は前記上壁１１の幅方向中央位置に設けられている。
【００１２】
さらに、この上壁１１の外表面は幅方向両端部から前記スリット３に向かって各々下り勾配の傾斜面として形成されており、雨水等がこの傾斜面に沿ってスムーズにスリット３内に導入されるよう構成されている。
【００１３】
ところで、一般に側溝におけるスリットは、前記上壁１１を幅方向中間位置から完全に分断するよう設けられているが、そのようなスリット付き側溝用ブロックに限られるものではない。
【００１４】
例えば外観上スリット３が連続して１本線のように見せつつスリット３の長さ方向両端部では当該スリット３を塞いだタイプもある。
【００１５】
すなわち、スリット３の長さ方向両端部では所定の間隔でスリット３を塞いだのである。
【００１６】
そして、スリット３の長さ方向両端側には導入溝条２０，２０が設けられており、その導入溝条２０を形成する底面がスリット２で分断された上壁１１，１１を連結する。よってこの底面が従来の間隔保持具の機能を果たすものとされている。
【００１７】
さらに、この底面はスリット３の長さ方向中央部に向かって各々下り勾配の傾斜底面としても構わない。
【００１８】
傾斜底面とすれば導入溝条２０内に溜まった雨水等がこの傾斜底面に沿ってスムーズにスリット３を通過し中空路２内に流入するよう構成される。
【００１９】
また、導入溝条２０の断面形状は略凹状をなすものでも構わないし、略Ｕ字状をなすものでも構わない。
【００２０】
いずれにせよ、当該スリット付き側溝用ブロック１が敷設されたとき、流入された雨水等は、当該スリット付き側溝１のスリット３の両端部にある導入溝条２０，２０に流れ込み、この導入溝条２０，２０の傾斜底面をスムーズに通過して、スリット３から中空路２内に導入されるものとなる。
【００２１】
尚、スリット付き側溝用ブロック１を下り勾配を有する箇所に敷設する場合には、前記導入溝条２０の底面を傾斜底面として形成しなくとも、側溝自体が下り傾斜を有して敷設されているため、当該スリット付き側溝用ブロック１が敷設されたとき、流入された雨水等は、当該スリット付き側溝１のスリット３の両端部にある導入溝条２０，２０に流れ込み、この導入溝条２０，２０の底面をスムーズに通過して、スリット３から中空路２内に導入されるものとなる。
【００２２】
次に、図から理解されるように、当該スリット付き側溝用ブロック１の長手方向両端面と幅方向一側面上部位置との隅角部近傍位置には、前記幅方向一側面上部位置から隅角部を切り欠いて長手方向両端面に向かい前記中空路に連通する切り欠き溝４，４が各々設けられている。
【００２３】
しかして、この切り欠き溝４の形成については何ら限定されるものではないが、通常スリット付き側溝用ブロック１の製造用型枠に前記切り欠き溝４用の内型枠部材を取り付け、コンクリート固化後に脱型して取り出すときにはすでに切り欠き溝４が形成されているとの製造方法が一般的である。
【００２４】
敷設に際しては、前記製造されたスリット付き側溝用ブロック１，１を突き合わせ、接続して使用する。
【００２５】
すると、突き合わせて接続した箇所には図から理解されるように、前記切り欠き溝４も突き合わされて接続面を境に左右対称となる大きな切り欠き溝４，４が形成される。
【００２６】
よって、長手方向に向かって下り勾配あるいは下り勾配を有して敷設したとしても、
同じ形状からなるスリット付き側溝用ブロック１を使用できる。
【００２７】
すなわち、右側から左側に向けて上り勾配になろうと左側から右側に向けて上り勾配になろうと、それぞれ上り勾配側から下り勾配側に向けて浸透水導入管路１２を配置すればよいからである。
【００２８】
しかして、浸透水導入管路１２の先端部分、すなわち入口部分は図に示すように第１層１３内に開放しておき、出口部分は前記切り欠き溝内４に収納すると共に、前記スリット付き側溝用ブロック１の中空路２内に連通するものとする。
【００２９】
これにより、道路に降った雨水は車道の第１層１３内に浸透し、前記浸透水導入管路１２を通過してスリット付き側溝用ブロック１の中空路２内にスムーズに流れ込むものとなる。
【発明の効果】
かくして本発明は以上の構成よりなる。
【００３０】
そして、本発明によるスリット付き側溝用ブロックであれば、長手方向へ向かって上り勾配あるいは下り勾配を有しての道路敷設のいずれの場合においても、前記第１層に浸透した雨水のほとんどが下り勾配側に流れてしまわない様、前記第１層内に上り勾配側から下り勾配側に向けて浸透水導入の管路を配置し、該浸透水導入管路の出口部分は前記切り欠き溝内に収納させて、スムーズな浸透水の排水が達成できる。
【００３１】
しかも一種類のスリット付き側溝用ブロックで、例えば右側から左側へ上り勾配状の道路とした場合あるいは逆に左側から右側へ向けて上り勾配状の道路とした場合のいずれにも使用できるいわゆる汎用性あるスリット付き側溝用ブロックを提供できることとなり、コストが安価な側溝付き道路が容易に敷設できる。
【図面の簡単な説明】
【図１】本発明によるスリット付き側溝の構成を説明する構成説明図（その１）である。
【図２】本発明によるスリット付き側溝の構成を説明する構成説明図（その２）である。
【図３】本発明によるスリット付き側溝の構成を説明する構成説明図（その３）である。
【図４】本発明によるスリット付き側溝の構成を説明する構成説明図（その４）である。
【図５】本発明によるスリット付き側溝の構成を説明する構成説明図（その５）である。
【図６】本発明によるスリット付き側溝の構成を説明する構成説明図（その６）である。
【符号の説明】
１    スリット付き側溝用ブロック
２    中空路
３    スリット
４    切り欠き溝
１１    上壁
１２    浸透水導入管路
１３    第１層
２０    導入溝条
【図１】
2004204540.tif 000003
【図２】
2004204540.tif 000004
【図３】
2004204540.tif 000005
【図４】
2004204540.tif 000006
【図５】
2004204540.tif 000007
【図６】
2004204540.tif 000008